(57)【要約】【課題】本発明は、動画記録情報の開始部分及び終了部分を簡単に効率よく編集処理することができる動画記録情報編集装置を提供することを目的とするものである。【解決手段】編集モードにおいて、早送りキー又は早戻しキーが所定時間押し続けられた場合に、映像ファイルの前半部又は後半部のいずれかを再生中であるかチェックして映像ファイルの開始部分又は終了部分に再生位置を飛ぶように再生制御を行う。すなわち、前半部でキーの操作があった場合には、終了部分において再生制御を行うようにし、後半部でキーの操作があった場合には、開始部分において再生制御を行うようにすれば、１回のキー操作で編集処理を素早く行うことができる。【選択図】        図７
2004221921.tif 000002
【特許請求の範囲】
【請求項１】
動画記録情報を記憶する記憶部と、前記動画記録情報を再生する再生部と、前記動画記録情報を編集処理する制御部と、操作情報入力部とを備えた動画記録情報編集装置において、
前記制御部は、前記操作情報入力部からの所定の操作情報信号に応答して前記再生部が前記動画記録情報の前半部又は後半部のいずれを再生中であるか判別する判別手段と、該判別手段が前記動画記録情報の前半部において再生中であると判別したときに前記動画記録情報の終了位置から前記動画記録情報の逆再生を開始する再生制御手段とを備えていることを特徴とする動画記録情報編集装置。
【請求項２】
動画記録情報を記憶する記憶部と、前記動画記録情報を再生する再生部と、前記動画記録情報を編集処理する制御部と、操作情報入力部とを備えた動画記録情報編集装置において、
前記制御部は、前記動画記録情報において所定範囲の終了部分を設定する設定手段と、前記操作情報入力部からの所定の操作情報信号に応答して前記再生部が前記動画記録情報の前半部又は後半部のいずれを再生中であるか判別する判別手段と、該判別手段が前記動画記録情報の前半部において再生中であると判別したときに前記所定範囲の終了部分の開始位置から前記動画記録情報の再生を開始する再生制御手段とを備えていることを特徴とする動画記録情報編集装置。
【請求項３】
動画記録情報を記憶する記憶部と、前記動画記録情報を再生する再生部と、前記動画記録情報を編集処理する制御部と、操作情報入力部とを備えた動画記録情報編集装置において、
前記制御部は、前記操作情報入力部からの所定の操作情報信号に応答して前記再生部が前記動画記録情報の前半部又は後半部のいずれを再生中であるか判別する判別手段と、該判別手段が前記動画記録情報の後半部において再生中であると判別したときに前記動画記録情報の開始位置から前記動画記録情報の再生を開始する再生制御手段とを備えていることを特徴とする動画記録情報編集装置。
【請求項４】
動画記録情報を記憶する記憶部と、前記動画記録情報を再生する再生部と、前記動画記録情報を編集処理する制御部と、操作情報入力部とを備えた動画記録情報編集装置において、
前記制御部は、前記動画記録情報において所定範囲の開始部分を設定する設定手段と、前記操作情報入力部からの所定の操作情報信号に応答して前記再生部が前記動画記録情報の前半部又は後半部のいずれを再生中であるか判別する判別手段と、該判別手段が前記動画記録情報の後半部において再生中であると判別したときに前記所定範囲の開始部分の終了位置から前記動画記録情報の逆再生を開始する再生制御手段とを備えていることを特徴とする動画記録情報編集装置。
【請求項５】
前記操作情報入力部からの所定の操作情報信号は、早戻しキーの所定操作によるものであることを特徴とする請求項１又は４に記載の動画記録情報編集装置。
【請求項６】
前記操作情報入力部からの所定の操作情報信号は、早送りキーの所定操作によるものであることを特徴とする請求項２又は３に記載の動画記録情報編集装置。
【請求項７】
前記再生制御手段は、通常より速い速度で再生又は逆再生を行うことを特徴とする請求項１から６のいずれかに記載の動画記録情報編集装置。
【請求項８】
前記動画記録情報の前半部及び後半部を区分する区分情報を設定する区分設定手段を備えていることを特徴とする請求項１から７のいずれかに記載の動画記録情報編集装置。
【発明の詳細な説明】
【０００１】
【発明の属する技術分野】
本発明は、記録媒体に記録された動画記録情報を編集する動画記録情報編集装置に関する。
【０００２】
【従来の技術】
近年、ＤＶＤ、ＨＤＤ等の大容量の情報記録装置が実用化されるとともに、テレビの番組等を長時間録画したり、撮影装置により長時間録画したりして動画記録情報として大容量の情報記録装置に蓄積することが家庭においても行われるようになっている。こうした多量の動画記録情報には不要な情報も含まれており、そのまま保存しておくことは、後で再生する場合に不要な部分についていちいち早送り再生をしなければならない等操作上面倒であり、また不要な情報の分だけ記憶容量がとられてしまうことから、蓄積された動画記録情報を適宜編集処理することが必要になる。
【０００３】
従来よりこうした編集処理方法については、いろいろな手法が提案されている。例えば、特許文献１では、動画ソース映像の選択操作と再生／停止の操作のみで、再生表示された映像を見ながら録画して動画編集を行う点が記載されている。また、特許文献２では、コントローラから出力される制御信号により、映像再生装置において映像データを再生しながら制御信号に同期して映像データをカット映像記録編集装置に出力し、制御信号に基づいてカット映像編集装置での映像編集を制御するようにした点が記載されている。
【０００４】
【特許文献１】
特開平１１−１４６２７０号公報
【特許文献２】
特開２００１−１１９６５８号公報
【０００５】
【発明が解決しようとする課題】
しかしながら、上述した先行技術文献では、再生映像を見ながら映像編集を行うためつなぎ編集等の作業は容易になるものの、動画記録情報のうち不要な部分を削除する場合に簡単に行うことができない。蓄積された動画記録情報の不要な部分としては、その開始部分と終了部分とに存在していることが多い。これは、例えば、テレビ番組を予約録画する際に、録画したい番組の開始時刻より早い時刻に予約開始時刻を設定し、終了時刻よりも遅い時刻に予約終了時刻を設定することから、予約録画した動画記録情報には、その開始部分及び終了部分に不要な部分が記憶されることになる。また、撮影時においても目的の映像を確実に撮影するため撮影開始を速くすることが一般的に行われており、この場合も開始部分及び終了部分に不要な部分が記憶されやすい。したがって、こうした開始部分及び終了部分を編集処理したい場合に、上述した先行技術文献では簡単に効率よく行うことができない。
【０００６】
そこで、本発明は、動画記録情報の開始部分及び終了部分を簡単に効率よく編集処理することができる動画記録情報編集装置を提供することを目的とするものである。
【０００７】
【課題を解決するための手段】
本発明に係る動画記録情報編集装置は、動画記録情報を記憶する記憶部と、前記動画記録情報を再生する再生部と、前記動画記録情報を編集処理する制御部と、操作情報入力部とを備えた動画記録情報編集装置において、前記制御部は、前記操作情報入力部からの所定の操作情報信号に応答して前記再生部が前記動画記録情報の前半部又は後半部のいずれを再生中であるか判別する判別手段と、該判別手段が前記動画記録情報の前半部において再生中であると判別したときに前記動画記録情報の終了位置から前記動画記録情報の逆再生を開始する再生制御手段とを備えていることを特徴とする。
【０００８】
本発明に係る別の動画記録情報編集装置は、動画記録情報を記憶する記憶部と、前記動画記録情報を再生する再生部と、前記動画記録情報を編集処理する制御部と、操作情報入力部とを備えた動画記録情報編集装置において、前記制御部は、前記動画記録情報において所定範囲の終了部分を設定する設定手段と、前記操作情報入力部からの所定の操作情報信号に応答して前記再生部が前記動画記録情報の前半部又は後半部のいずれを再生中であるか判別する判別手段と、該判別手段が前記動画記録情報の前半部において再生中であると判別したときに前記所定範囲の終了部分の開始位置から前記動画記録情報の再生を開始する再生制御手段とを備えていることを特徴とする。
【０００９】
本発明に係るさらに別の動画記録情報編集装置は、動画記録情報を記憶する記憶部と、前記動画記録情報を再生する再生部と、前記動画記録情報を編集処理する制御部と、操作情報入力部とを備えた動画記録情報編集装置において、前記制御部は、前記操作情報入力部からの所定の操作情報信号に応答して前記再生部が前記動画記録情報の前半部又は後半部のいずれを再生中であるか判別する判別手段と、該判別手段が前記動画記録情報の後半部において再生中であると判別したときに前記動画記録情報の開始位置から前記動画記録情報の再生を開始する再生制御手段とを備えていることを特徴とする。
【００１０】
本発明に係るさらに別の動画記録情報編集装置は、動画記録情報を記憶する記憶部と、前記動画記録情報を再生する再生部と、前記動画記録情報を編集処理する制御部と、操作情報入力部とを備えた動画記録情報編集装置において、前記制御部は、前記動画記録情報において所定範囲の開始部分を設定する設定手段と、前記操作情報入力部からの所定の操作情報信号に応答して前記再生部が前記動画記録情報の前半部又は後半部のいずれを再生中であるか判別する判別手段と、該判別手段が前記動画記録情報の後半部において再生中であると判別したときに前記所定範囲の開始部分の終了位置から前記動画記録情報の逆再生を開始する再生制御手段とを備えていることを特徴とする。
【００１１】
上記のような構成を有することで、記録された動画記録情報の前半部を再生中に所定の操作情報を入力すれば終了部分へ飛んで再生が行われるようになり、終了部分の編集処理に素早くとりかかることができ、簡単な操作で効率的に編集処理を行うことができるようになる。また、終了部分での再生制御を終了位置から逆再生して行うようにすれば、不要な部分の範囲を効率的に特定することができ、所定範囲の終了部分を設定してその部分の開始位置から再生するようにすれば、予め不要な部分の範囲が想定できる場合により早く特定することができる。
【００１２】
同様に、記録された動画記録情報の後半部を再生中に所定の操作情報を入力すれば開始部分へ飛んで再生が行われるようになり、開始部分の編集処理に素早くとりかかることができ、簡単な操作で効率的に編集処理を行うことができるようになる。また、開始部分での再生制御を開始位置から再生するようにすれば、不要な部分の範囲を効率的に特定することができ、所定範囲の開始部分を設定してその部分の終了位置から逆再生を行うようにすれば、予め不要な部分の範囲が想定できる場合により早く特定することができる。
【００１３】
いずれにしても、一回の操作により所望の編集位置へ飛ぶことができるので、簡単な操作で素早く編集処理に入ることが可能となる。
【００１４】
また、上述した動画記録情報編集装置において、前記操作情報入力部からの所定の操作情報信号は、早戻しキーの所定操作によるものであることを特徴とする。また、上述した動画記録情報編集装置において、前記操作情報入力部からの所定の操作情報信号は、早送りキーの所定操作によるものであることを特徴とする。また、上述した動画記録情報編集装置において、前記再生制御手段は、通常より速い速度で再生又は逆再生を行うことを特徴とする。また、前記動画記録情報の前半部及び後半部を区分する区分情報を設定する区分設定手段を備えていることを特徴とする。
【００１５】
上記のような構成を有することで、所定の操作情報の入力を早戻しキーにより行うことで、上述した動画記録情報編集装置において逆再生により再生制御する場合に操作者が容易に操作することができ、操作ミスを少なくすることができる。同様に、所定の操作情報の入力を早送りキーにより行うことで、上述した動画記録情報編集装置において再生により再生制御する場合に操作者が容易に操作することができ、操作ミスを少なくすることができる。そして、再生制御を行う際に通常より速い速度で行うことで、開始部分又は終了部分における不要な部分の特定をより速く行うことができる。また、動画記録情報の前半部及び後半部を設定する設定手段を備えることで、中間で区分する以外にも前半部又は後半部のいずれかを長く設定したりすることができ、記録内容に従って編集しやすい設定を行うことが可能となる。
【００１６】
【発明の実施の形態】
以下、本発明に係る実施形態について詳しく説明する。図１は、本発明に係る実施形態の全体ブロック図である。制御部１は、編集処理等の情報処理を行い、ＣＰＵ、ＲＯＭ及びＲＡＭ等を備えている。また、動画記録情報は記憶部２に記憶されており、再生部３によって読み出されて信号処理部４において画像表示するための処理がなされてディスプレイ５に表示される。動画記録情報を記憶する機器としては、例えば、ＤＶＤ、ＨＤＤ、ＶＣＲ等が挙げられる。リモコン送信機７において編集処理等の作業に必要な入力操作がなされると、入力された操作情報信号がリモコン受光部８で検知されて操作情報入力部６から制御部１に送信される。
【００１７】
動画記録情報には、動画を記録する際に位置情報として一連の時間情報又はカウント情報等の付加情報が記録されている。したがって、動画記録情報の開始位置から終了位置までの間はこうした位置情報により所定の範囲を特定することができるため、編集処理も位置情報を用いれば容易に行うことができる。
【００１８】
図２は、上記実施形態における動作を説明する説明図である。図２（ａ）に示すように、動画記録情報は、位置情報として開始時間ｔ０から終了時間ｔｅまでの長さの情報として記憶部２に記憶されている。再生部３により動画記録情報が読み出されて再生されると、それに同期して位置情報が演算処理されて、制御部１に現在再生中の時間ｔｎが常時保持されるようになっている。そして、図２（ａ）に示すように、再生中の位置が動画記録情報の前半部にある状態で、所定の操作として、早送りキーを所定時間押し続ける操作を行うと、図２（ｂ）に示すように、時間ｔｓの位置まで飛んで再生を行うように制御する。時間ｔｓは、終了時間ｔｅから一定時間Ｔだけ遡及した時間であり、後述するように予め操作者が一定時間Ｔを設定すると、制御部１は、終了時間ｔｅから時間Ｔ分だけ減算して時間ｔｓを設定する。例えば、テレビ番組の予約録画を行った際に、録画終了時刻を番組の終了時刻より５分後に設定した場合に不要な部分が約５分間だけ存在していることから、一定時間Ｔを５分とすれば簡単に不要部分の開始位置に飛ぶことが可能になる。図２（ｃ）では、時間ｔｓから動画記録情報を自動的に再生する。この場合、早送り再生をしてもよいし、また、再生せずに一時停止して待機状態とすることもできる。
【００１９】
図３は、上記実施形態における別の動作を説明する説明図である。図２（ａ）と同様に、動画記録情報は、位置情報として開始時間ｔ０から終了時間ｔｅまでの長さの情報として記憶部２に記憶されている（図３（ａ）参照）。図３（ａ）に示すように、再生中の位置が動画記録情報の前半部にある状態で、所定の操作として、早戻しキーを所定時間押し続ける操作を行うと、図３（ｂ）に示すように、終了時間ｔｅの位置まで飛んで逆再生を行うように制御する。そして、逆再生を行う場合には、図３（ｃ）に示すように、図２の場合と同様に設定された時間ｔｓまで逆再生して停止する。この場合、早送りで逆再生してもよい。
【００２０】
図４は、上記実施形態におけるさらに別の動作を説明する説明図である。図２（ａ）と同様に、動画記録情報は、位置情報として開始時間ｔ０から終了時間ｔｅまでの長さの情報として記憶部２に記憶されている（図４（ａ）参照）。図４（ａ）に示すように、再生中の位置が動画記録情報の後半部にある状態で、所定の操作として、早送りキーを所定時間押し続ける操作を行うと、図４（ｂ）に示すように、開始時間ｔ０の位置まで飛んで再生を行うように制御する。そして、再生を行う場合には図４（ｃ）に示すように、時間ｔｕまで再生して停止する。時間ｔｕは、開始時間ｔ０から一定時間Ｔだけ経過した時間であり、後述するように予め操作者が一定時間Ｔを設定すると、制御部１は、開始時間ｔ０から時間Ｔ分だけ加算して時間ｔｕを設定する。例えば、テレビ番組の予約録画を行った際に、録画開始時刻を番組の開始時刻より５分前に設定した場合に不要な部分が約５分間だけ存在していることから、一定時間Ｔを５分とすれば簡単に不要部分の開始位置に飛ぶことが可能になる。図４（ｃ）では、開始時間０から早送り再生をしてもよい。
【００２１】
図５は、上記実施形態におけるさらに別の動作を説明する説明図である。図２（ａ）と同様に、動画記録情報は、位置情報として開始時間ｔ０から終了時間ｔｅまでの長さの情報として記憶部２に記憶されている（図５（ａ）参照）。図５（ａ）に示すように、再生中の位置が動画記録情報の後半部にある状態で、所定の操作として、早戻しキーを所定時間押し続ける操作を行うと、図５（ｂ）に示すように、図４の場合と同様に設定された時間ｔｕの位置まで飛んで逆再生を行うように制御する。そして、図５（ｃ）では、時間ｔｕから自動的に動画記録情報を逆再生する。この場合、早送り再生をしてもよいし、また、逆再生せずに一時停止して待機状態とすることもできる。
【００２２】
以上の動作制御を行う場合に前半部及び後半部を区分する区分情報を予め設定できるようにしてもよい。通常は、動画記録情報の中間位置において区分するように初期設定されているが、記録内容に従って編集しやすいように前半部又は後半部のいずれかを長く設定することも可能とすることで、記録内容に従って編集しやすいように設定できる。区分情報としては、例えば目安となる時間を操作者が予め入力するようにすればよい。
【００２３】
上述した例において、早戻しキー又は早送りキーの所定時間を押し続ける操作は、リモコン入力波形を検出することでできる。例えば、リモコンコード送信時における最初のリーダーコードが所定時間内に連続して検出された場合にリモコンキーが押し続けられているとして検出処理すればよい。
【００２４】
図６は、本発明に係る実施形態を用いて編集操作を行う場合のディスプレイ５の画面遷移の例を示している。まず、図６（ａ）では、基本メニュー画面が表示されて、選択キーにより「編集」を選択する。そうすると、図６（ｂ）に示すように編集モード画面が表示される。この画面で「カット」を選択すると、記憶されている動画記録情報の映像ファイル名等がリスト表示される（図６（ｃ））。
リスト表示された１つの映像ファイルを選択実行すると、動画の再生が開始される。そして、再生中に早送りキー又は早戻しキーを所定時間押し続けると、図６（ｄ）に示すように設定時間入力画面が表示されて予め設定時間を決めておくことができる。また、この設定時間入力画面において、動画記録情報の前半部及び後半部を区分する時間を入力するようにしてもよい。
【００２５】
図７は、編集モードでの処理フローを示している。まず、上述したように映像ファイルを選択して再生される（Ｓ１００）。再生中の時間情報は制御部１で常時保持されている。再生中に早送りキー又は早戻しキーが操作入力されたかチェックされ（Ｓ１０１）、操作入力が検出されると、所定時間押され続けたかチェックされる（Ｓ１０２）。所定時間押されていない場合には検出されたキーに応答して通常の早送り再生又は逆再生が行われる（Ｓ１０３）。所定時間押され続けたことが検出された場合には、設定時間入力画面が表示され（Ｓ１０４）、設定時間入力の有無をチェックする（Ｓ１０５）。そして、入力があった場合には設定時間Ｔとして記憶される（Ｓ１０６）。次に、現在再生中の時間情報からファイルの前半部を再生しているかチェックし（Ｓ１０７）、前半部を再生している場合にはステップＳ１０８に進み、前半部を再生していない場合−すなわち後半部を再生している場合には後述するステップＳ１１８に進む。
【００２６】
ステップＳ１０８では、押されたキーが早送りキーであるかチェックされる。
早送りキーの場合には、時間ｔｓが終了時間ｔｅから設定時間Ｔを減算して算出される（Ｓ１０９）。そして、時間ｔｓの位置へ飛ぶように処理された（Ｓ１１０）後時間ｔｓはクリアされる（Ｓ１１１）。そして、時間ｔｓから再生が行われて（Ｓ１１２）終了時間ｔｅで再生が停止する（Ｓ１１３）。ステップＳ１０８で早送りキーではない場合は、早戻しキーが押されたものとして終了時間ｔｅの位置に飛ぶように処理される（Ｓ１１４）。そして、逆再生が行われる（Ｓ１１５）。逆再生中は、設定時間Ｔだけ逆再生が行われたかチェックされ（Ｓ１１６）、設定時間Ｔだけ逆再生されると停止する（Ｓ１１７）。
【００２７】
図８には、ステップＳ１０７でファイルの後半部で再生している場合の処理フローが示されている。まず、押されたキーが早戻しキーであるかチェックされる（Ｓ１１８）。早戻しキーの場合には、時間ｔｕが開始時間ｔ０に設定時間Ｔを加算して算出される（Ｓ１１９）。そして、時間ｔｕの位置へ飛ぶように処理された（Ｓ１２０）後時間ｔｕはクリアされる（Ｓ１２１）。そして、時間ｔｕから逆再生が行われて（Ｓ１２２）開始時間ｔ０で再生が停止する（Ｓ１２３）。ステップＳ１１８で早戻しキーではない場合は、早送りキーが押されたものとして開始時間ｔ０の位置に飛ぶように処理される（Ｓ１２４）。そして、再生が行われる（Ｓ１２５）。再生中は、設定時間Ｔだけ再生が行われたかチェックされ（Ｓ１２６）、設定時間Ｔだけ再生されると停止する（Ｓ１２７）。
【００２８】
以上の処理フローで、早送りキーを押した場合に再生しているが、早送り再生するようにしてもよく、また早戻しキーを押した場合にも逆再生を逆早送り再生にしてもよい。また、現在再生中の位置から飛ぶように処理された後自動的に再生せずに一時停止として待機状態にしてもよい。
【００２９】
【発明の効果】
以上に説明したとおり、本発明では、記録された動画記録情報の前半部を再生中に所定の操作情報を入力すれば終了部分へ飛んで再生が行われるようになり、終了部分の編集処理に素早くとりかかることができ、簡単な操作で効率的に編集処理を行うことができるようになる。また、終了部分での再生制御を終了位置から逆再生して行うようにすれば、不要な部分の範囲を効率的に特定することができ、所定範囲の終了部分を設定してその部分の開始位置から再生するようにすれば、予め不要な部分の範囲が想定できる場合により早く特定することができる。
【００３０】
同様に、記録された動画記録情報の後半部を再生中に所定の操作情報を入力すれば開始部分へ飛んで再生が行われるようになり、開始部分の編集処理に素早くとりかかることができ、簡単な操作で効率的に編集処理を行うことができるようになる。また、開始部分での再生制御を開始位置から再生するようにすれば、不要な部分の範囲を効率的に特定することができ、所定範囲の開始部分を設定してその部分の終了位置から逆再生を行うようにすれば、予め不要な部分の範囲が想定できる場合により早く特定することができる。
【００３１】
いずれにしても、一回の操作により所望の編集位置へ飛ぶことができるので、簡単な操作で素早く編集処理に入ることが可能となる。
【図面の簡単な説明】
【図１】本発明に係る実施形態の全体ブロックの概略図である。
【図２】本発明に係る実施形態の動作に関する説明図である。
【図３】本発明に係る実施形態の別の動作に関する説明図である。
【図４】本発明に係る実施形態の別の動作に関する説明図である。
【図５】本発明に係る実施形態の別の動作に関する説明図である。
【図６】本発明に係る実施形態の操作画面の遷移に関する説明図である。
【図７】本発明に係る実施形態の処理フローに関する説明図である。
【図８】本発明に係る実施形態の処理フローに関する説明図である。
【符号の説明】
１    制御部
２    記憶部
３    再生部
４    信号処理部
５    ディスプレイ
６    操作情報入力部
７    リモコン送信機
８    リモコン受光部
【図１】
2004221921.tif 000003
【図２】
2004221921.tif 000004
【図３】
2004221921.tif 000005
【図４】
2004221921.tif 000006
【図５】
2004221921.tif 000007
【図６】
2004221921.tif 000008
【図７】
2004221921.tif 000009
【図８】
2004221921.tif 000010